(57)【要約】【課題】回路基板の配置効率を向上して小型化できる電気掃除機を提供する。【解決手段】モータカバー７１内に第２消音部材を介して同軸上に電動送風機を取り付ける。モータカバー７１の周面の一部を軸方向に沿ってＤカットしてＤカット部８１とする。平板状の回路基板９１は電動送風機の駆動を制御する。回路基板９１の面方向をモータカバー７１の軸方向に沿わせてＤカット部８１に取り付ける。回路基板９１を配置する収容スペースを上ケース１２内に設ける必要がなくなる。回路基板９１を上ケース１２内に収容する際の配置効率を向上できる。上ケース１２の小型化が可能となる。掃除機本体３をより小型化できる。【選択図】        図１
2004255065.tif 000002
【特許請求の範囲】
【請求項１】
電動送風機と、
曲面部、およびこの曲面部に連続して外周面の一部を構成する平面部を備え、前記電動送風機が収容されるケース体と、
このケース体と前記電動送風機との間に配設される緩衝材と、
前記ケース体の平面部に取り付けられ、前記電動送風機の駆動を制御する略平板状の回路基板と
を具備したことを特徴とした電気掃除機。
【請求項２】
ケース体は、平面部に設けられ電動送風機に連通する冷却口を備えた
ことを特徴とした請求項１記載の電気掃除機。
【発明の詳細な説明】
【０００１】
【発明の属する技術分野】
本発明は、電動送風機が収容されるケース体を備えた電気掃除機に関する。
【０００２】
【従来の技術】
従来、この種の電気掃除機は、いわゆる業務用の電動送風機であり、電動送風機が収容される掃除機本体としての本体ケースを備えている。そして、この本体ケースの上側面には、この本体ケースを開閉させる蓋体が取り付けられている（例えば、特許文献１参照。）。
【０００３】
【特許文献１】
特開平５−２６１０３４号公報（第３頁、図１−図２）
【０００４】
【発明が解決しようとする課題】
上述のような電気掃除機では、一般的に、電動送風機の駆動により生じる吸込風とともに吸い込んだ塵埃を集塵する集塵室が本体ケースの内部に区画形成されている。そして、この集塵室の上側に電動送風機室が区画形成されており、この電動送風機室に電動送風機が収容されて取り付けられている。さらに、この電動送風機には、この電動送風機の駆動をオンオフさせるオンオフスイッチのみが接続されており、この電動送風機の駆動を制御する回路基板は接続されていない。このため、本体ケース内での回路基板の取り付け位置については考慮されていないので、この回路基板を本体ケース内に取り付けることにより、この本体ケースが大型化してしまうおそれがあるという問題を有している。
【０００５】
本発明は、このような点に鑑みなされたもので、回路基板の配置効率を向上して小型化できる電気掃除機を提供することを目的とする。
【０００６】
【課題を解決するための手段】
本発明の電気掃除機は、電動送風機との間に緩衝材が配設されて収容されるケース体の曲面部に連続して外周面の一部を構成する平面部に、電動送風機の駆動を制御する略平板状の回路基板を取り付けたものである。そして、ケース体の曲面部に連続して外周面の一部を構成する平面部に回路基板を取り付けたので、この回路基板の配置効率が向上し、これら回路基板およびケース体を小型化できる。また、電動送風機とケース体との間の緩衝材によって、この電動送風機の駆動により回路基板へと伝わる振動を抑制できる。
【０００７】
【発明の実施の形態】
以下、本発明の電気掃除機の第１の実施の形態の構成を図１ないし図５を参照して説明する。
【０００８】
図１ないし図５において、１は電気掃除機で、この電気掃除機１は、例えばビルなどの清掃に用いられる業務用の掃除機である。また、この電気掃除機１は、略円筒状の電動送風機２を収容した略円柱状の本体ケースとしての掃除機本体３を備えている。
【０００９】
この掃除機本体３には、図５に示すように、可撓性を有する細長円筒状のホース体としての吸込ホース４の基端部が着脱可能に連通接続されて気密に連結されている。そして、この吸込ホース４の先端部には、円筒状の手許操作管５の基端部が連通接続されて気密に連結されている。さらに、この手許操作管５の先端部には、円筒状の延長管６を介して床ブラシなどの吸込口体７が着脱可能に連通接続されて気密に連結されている。
【００１０】
また、掃除機本体３は、略有底円筒状の下ケース１１を備えている。そして、この下ケース１１の上側には、略円筒状の上ケース１２が取り付けられている。さらに、これら上ケース１２および下ケース１１は、この下ケース１１に設けられた複数、例えば３個のクランプ手段１３にて着脱可能に嵌合されて取り付け固定されている。また、この下ケース１１の下側には、複数、例えば４個のキャスタ１４が取り付けられて、掃除機本体３が被掃除面としての床面に対し移動可能とされている。
【００１１】
そして、下ケース１１は、上側が開口した略円筒状の胴部２１を有している。この胴部２１の下側には、略正方形状の底板２２が一体的に取り付けられて閉塞されている。この底板２２の下端面の四隅には、キャスタ１４がそれぞれ取り付けられている。また、この下ケース１１の胴部２１の内側は、図２に示すように、平板状の仕切板２３によって上下方向が水平に仕切られて区画形成されている。そして、この胴部２１内の仕切板２３より上側が集塵室２４とされているとともに、この胴部２１内の仕切板２３より下側がバッテリ室２５とされている。
【００１２】
ここで、この集塵室２４には、上方が開口した略有底円筒状の集塵カップとしての集塵容器２６が者脱可能に嵌合されて取り付けられている。この集塵容器２６は、電動送風機２の駆動により吸い込んだ空気を内周面に沿って螺旋状に旋回させて、この空気とともに吸い込んだ塵埃を自重による遠心分離によって分離して内部に集塵させる。さらに、この集塵容器２６の上側の開口部２７には、捕捉手段としてのフィルタ２８が着脱自在に取り付けられた状態で、上ケース１１にて気密に覆われている。
【００１３】
また、バッテリ室２５には、充電可能な二次電池であるバッテリパック３１が取り外し可能に収容されている。このバッテリパック３１は、このパッテリパック３１から供給される電力により電動送風機２を駆動させる。
【００１４】
一方、上ケース１２は、下端部に円環状のフランジ部４１が形成された中空円筒状の筒状部４２を備えている。この筒状部４２の上側には、この筒状部４２の上側の開口部を覆って閉塞する本体ケースとしての蓋体である上蓋４３が取り外し可能に取り付けられている。この上蓋４３の下端面における中央部には、下方に向けて突出した略円筒状の位置決め凹部４４が形成されている。
【００１５】
さらに、筒状部４２の内側には、電動送風機２が収容される送風機室４５が区画形成されている。また、筒状部４２の周面には貫通した複数の連通口４６が形成されており、これら連通口４６により外気と送風機室４５とが連通している。さらに、これら連通口４６の内側である筒状部４２の内周面には、空気を流通させる通気性を有する第１消音部材４７が取り付けられており、この第１消音部材４７によって各連通口４６が覆われている。
【００１６】
また、図５に示すように、上蓋４３の上面には、電動送風機２へと電力を供給させて駆動させる駆動用のスイッチ４８が設けられている。さらに、この上蓋４３の上面には、掃除機本体３の持ち運び用の把持部となる円弧状のハンドル４９が回動可能かつ収容可能に設けられている。
【００１７】
そして、図２に示すように、上ケース１２のフランジ部４１には、上下方向に向けて貫通した吸込開口５１が形成されている。この吸込開口５１には、吸込ホース４の基端部が接続される略Ｌ字状に屈曲した円筒状の接続パイプ５２が水平方向に向けて回転自在に連通接続されて取り付けられている。また、この吸込開口５１の内側には、電動送風機２の駆動により吸込開口５１から吸い込んだ空気や塵埃を集塵室２４内に取り付けられた集塵容器２６内の周方向に向けて案内して螺旋状に旋回させる旋回風構成体としてのサイクロン部であるガイド部５３が設けられている。
【００１８】
一方、電動送風機２は、内部に図示しない遠心ファンが回転可能に取り付けられた平坦な円筒状のファン部６１を備えている。このファン部６１の上側には、このファン部６１内の遠心ファンを回転させて、このファン部６１を駆動させる円筒状のモータ部６２が設けられている。このモータ部６２は、ファン部６１よりも外径寸法が小さく形成されており、このファン部６１の上側に連続して同心状に設けられている。また、このモータ部６２には、図示しないモータが内蔵されている。
【００１９】
そして、ファン部６１の下端面には、このファン部６１を駆動させた際に空気を流入する吸込口６３が形成されている。この吸込口６３は、集塵室２４内の集塵容器２６の開口部２７に対向して設置される。また、この吸込口６３は、集塵室２４側に向けて先細状に突出している。さらに、ファン部６１の周縁部と送風機室４５の内側壁との間には、モータクッションとしての気密保持部材６４が介装されて取り付けられている。この気密保持部材６４は、ゴムなどのクッション性および弾力性を有する材質で形成されている。また、この気密保持部材６４は、電動送風機２の吸込側であるファン部６１の周縁部と送風機室４５の内側壁との間の気密性を保持するとともに、この送風機室４５内の電動送風機２を支持する。また、この気密保持部材６４は、ファン部６１の周縁部を周方向に亘って覆っている。
【００２０】
さらに、電動送風機２のモータ部６２の外周面には、略矩形状の複数の第１排気口６５が開口されて設けられている。これら第１排気口６５は、モータ部６２の外周面における上端近傍に設けられている。このモータ部６２の外周面には、緩衝材としてのクッション材である略円筒状の第２消音部材６６が巻き付けられて取り付けられている。この第２消音部材６６は、スポンジなどで構成されており、電動送風機２のモータ部６２の第１排気口６５を覆っている。さらに、この第２消音部材６６は、上側が閉塞された略有底円筒状のケース体としてのモータカバー７１と電動送風機２のモータ部６２との間に配設されて取り付けられている。また、このモータ部６２は、モータカバー７１によって全体が略同軸状に収容されて取り付けられている。このため、このモータ部６２の第１排気口６５から排気された空気は、このモータ部６２とモータカバー７１との間に排気される。
【００２１】
ここで、電動送風機２のモータ部６２の上端面とモータカバー７１の上面内側との間には、弾性を有するモータ支持ゴム７２が介装されて取り付けられている。このモータ支持ゴム７２は、モータカバー７１に対して電動送風機２のモータ部６２がずれないように保持するとともに、この電動送風機２を駆動させた際に生じ得るモータ部６２の振動を抑制する。
【００２２】
そして、モータカバー７１は、電動送風機２の排気側を覆っており、上蓋４３によって保持されている。また、このモータカバー７１は、図１ないし図４に示すように、モータ部６２の外周面を覆う円筒状の第１の隔壁としての内筒７３を備えている。この内筒７３は、モータ支持ゴム７２から第１排気口６５までを一体に覆う内隔壁部７４を有している。この内隔壁部７４の下端部には、この内隔壁部７４の下端縁が凹状に切りかかれた形状の複数の連通開口７５が周方向に沿って等間隔に離間されて形成されている。
【００２３】
さらに、この内隔壁部７４の外周には、この内隔壁部７４の外周面との間に間隙を介して、この内隔壁部７４の外周面を覆う第２の隔壁としての外筒７６が設けられている。この外筒７６は、内筒７３の外周面を覆う円筒状の曲面部としての外隔壁部７７を有している。そして、この外隔壁部７７の上端面における内隔壁部７４との間には、上側に向けて開口する第２排気口７８が設けられている。この第２排気口７８は、連通口４６を介して外気に連通している。また、外隔壁部７７におけるファン部６１側の先端である下端は、気密保持部材６４の上端面に接触して密着されている。
【００２４】
そして、モータカバー７１の内隔壁部７４の外周面と外隔壁部７７の内周面との間には、第１排気口６５と第２排気口７８とを連通する排気風路７９が形成されている。この排気風路７９には、弾性および通気性を有する第３消音部材８０が介装されて保持されている。この第３消音部材８０は、モータカバー７１の外隔壁部７７の内周面に沿って取り付けられており、この外隔壁部７７の内周面と内隔壁部７４の外周面とにより保持されて、排気風路７９内を密封するように取り付けられている。
【００２５】
ここで、このモータカバー７１の外隔壁部７７の周面の一部には、この外隔壁部７７の軸方向に沿って周面を直線的に平坦に切り欠かれた形状の平面部としての切欠部であるＤカット部８１が一体的に設けられている。このＤカット部８１は、外隔壁部７７に連続してモータカバー７１の一部を構成している。すなわち、このＤカット部８１は、モータカバー７１の外周面を上側から下側に向けて軸方向に沿ってモータカバー７１の内隔壁部７４および外隔壁部７７それぞれの一部を上面視Ｄ字状にカット、いわゆるＤカットすることにより、このモータカバー７１の周面の一部に空間を形成させる収容凹部である。
【００２６】
また、このＤカット部８１は、モータカバー７１の軸方向に沿って平坦な平面部としてのＤカット面９０を備えている。このＤカット面９０は、モータカバー７１の外隔壁部７７の径方向に沿った幅方向を有しているとともに、この外隔壁部７７の軸方向に沿った高さ方向を有している。
【００２７】
そして、このＤカット面９０の下端側には、モータカバー７１の径方向に沿った平坦な略平板状の底面部８２が形成されている。この底面部８２の長手方向における中央部には、この底面部８２よりもモータカバー７１の上側に向けて突出し、かつこのモータカバー７１の径方向に沿った平坦な略平板状の保持面部８３が形成されている。
【００２８】
そして、この保持面部８３の長手方向における中央部と、底面部８２の長手方向における両端部には、これら保持面部８３および底面部８２それぞれの幅方向に沿って上側に向けて突出した係止リブ８４がそれぞれ形成されている。これら係止リブ８４それぞれの長手方向における中央部には、凹状に切り欠かれた係止凹部８５が形成されている。これら各係止凹部８５は、電動送風機２の駆動を制御する回路基板９１の厚さ寸法よりも若干大きな幅寸法を有している。さらに、保持面部８３上の係止リブ８４の両側部のそれぞれには、弾性を有する細長矩形シート状のクッション材としての振動吸収部材８６がそれぞれ取り付けられている。
【００２９】
また、Ｄカット面９０のモータカバー７１の径方向に沿った幅方向における両側縁には、互いに向かい合う平坦な側面部８７が形成されている。そして、これら側面部８７の幅方向における先端部には、互いに向かい合う方向に向けて開口したスリット部としての断面凹溝状の保持凹部８８がそれぞれの内側に形成された対をなす爪部８９が形成されている。これら爪部８９それぞれは、各側面部８７の上端側に形成されており、これら爪部８９の保持凹部８８は、モータカバー７１の軸方向に沿って対向している。
【００３０】
そして、これら爪部８９の保持凹部８８間には、図１および図４に示すように、略矩形平板状の回路基板９１の両側縁が係合されて保持される。この回路基板９１は、バッテリパック３１から電動送風機２へと供給される電力を制御して、この電動送風機２の駆動を調整することにより、この電動送風機２による吸込力を調整する。また、この回路基板９１は、モータカバー７１の軸方向に面方向を沿わせた状態で、このモータカバー７１のＤカット部８１に取り付けられて、このＤカット部８１のＤカット面９０と筒状部４２との間に形成される隙間に取り付けられている。さらに、この回路基板９１の下端縁の中央部には、Ｄカット部８１の保持面部８３に嵌合される凹状に切り欠かれた嵌合凹部９２が形成されている。
【００３１】
この嵌合凹部９２は、回路基板９１の両側縁を、モータカバー７１の各爪部８９の保持凹部８８のそれぞれに挿入させて係合保持させた際に、このモータカバー７１の保持面部８３上の振動吸収部材８６に当接して、この保持面部８３に嵌合するとともに、この保持面部８３上の係止リブ８４の係止凹部８５に嵌合して係止されて位置決め固定される。このとき、回路基板９１の下端縁における嵌合凹部９２の両側縁は、この回路基板９１の両側縁を、モータカバー７１の各爪部８９の保持凹部８８のそれぞれに挿入させて係合保持させた際に、このモータカバー７１の底面部８２に当接して、この底面部８２上の係止リブ８４の係止凹部８５のそれぞれに嵌合して係止されて位置決め固定される。
【００３２】
さらに、モータカバー７１の上側面には、図１に示すように、平板状の放熱板９３が取り付けられている。この放熱板９３は、回路基板９１の上端縁に接するように取り付けられている。また、この放熱板９３は、電動送風機２の駆動による発熱が回路基板９１へと伝わることによる、この回路基板９１の温度上昇を防止する。さらに、この放熱板９３は、モータカバー７１の径方向に面方向を沿わせて状態で取り付けられており、回路基板９１に対して垂直に接触している。
【００３３】
また、この放熱板９３の幅方向における一側部の中央部には、モータカバー７１の上面中央部に突設された係合筒部９４に嵌合される凹状の嵌合部９５が形成されている。なお、このモータカバー７１の係合筒部９４は、上蓋４３の下面中央部に設けられた位置決め凹部４４に嵌合されて位置決め固定され、この上蓋４３に対するモータカバー７１の周方向への回転などが位置決め固定される。
【００３４】
次に、上記第１の実施の形態の作用を説明する。
【００３５】
まず、掃除機本体３の上蓋４３上のスイッチ４８をオンし、この掃除機本体３内の電動送風機２のファン部６１を駆動させる。
【００３６】
すると、この電動送風機２の吸込口６３から空気が吸い込まれ、集塵容器２６、吸込ホース４および延長管６を順次介して吸込口体７から空気が吸い込まれていく。
【００３７】
この状態で、手許操作管５を把持して吸込口体７を床面に沿って移動させて、この床面を掃除する。このとき、吸込口体７から空気とともに床面上の塵埃が吸い込まれる。
【００３８】
そして、この吸込口体７から吸い込まれた空気は、延長管６および吸込ホース４を順次通過した後、接続パイプ５２からガイド部５３を介して集塵容器２６内へと吸い込まれていく。
【００３９】
このとき、この集塵容器２６内へと吸い込まれた空気は、ガイド部５３によって集塵容器２６の内周面に沿って渦巻き状に旋回する。
【００４０】
すると、この集塵容器２６内での空気の旋回に伴って、この空気中に漂う塵埃が旋回する。このとき、これら塵埃の旋回によって、これら塵埃に作用する遠心力および自重により、これら塵埃が集塵容器２６の下方に遠心分離、すなわちサイクロン分離される。
【００４１】
この後、これら塵埃がサイクロン分離された空気は、集塵容器２６の開口部２７からフイルタ２８を通過して電動送風機２の吸込口６３からファン部６１およびモータ部６２へと流れ込む。このとき、このモータ部６２へと流れ込んだ空気は、このモータ部６２内のモータを冷却しながら、このモータ部６２の第１排気口６５から排気されて排気風とされる。
【００４２】
さらに、この排気風とされた空気は、モータ部６２の第１排気口６５から排気される際に、第２消音部材６６を通過して騒音が防止された後、モータカバー７１の内筒７３の内周面に沿いながら下方へと流れて、この内筒７３の連通開口７５へと向かっていく。
【００４３】
そして、この連通開口７５を通過した空気は、モータカバー７１の外筒７６の内周面に沿いながら上方へと流れて、第２排気口７８へと向かっていく。このとき、この空気は、外筒７６と内筒７３との間に配設された第３消音部材８０を通過して、さらに騒音が抑制される。
【００４４】
さらに、第２排気口７８を通過した空気は、上ケース１２の上蓋４３の内側面および筒状部４２の内側面に沿いながら下方へと流れて、この筒状部４２の連通口４６へと向かっていく。
【００４５】
このとき、この空気は、モータカバー７１に取り付けられた放熱板９３から熱を吸収して、回路基板９１の温度上昇を防止するとともに、連通口４６の内側に取り付けられた第１消音部材４７を通過して、さらに騒音が防止されてから掃除機本体３の外部へと排気される。
【００４６】
上述したように、上記第１の実施の形態によれば、モータカバー７１の周面の一部を軸方向に沿ってＤカットしてＤカット部８１を形成し、このモータカバー７１内に収容される電動送風機２の駆動を制御する回路基板９１をＤカット部８１に取り付けた。この結果、この回路基板９１を配置させる収容スペースを上ケース１２内に別途設ける必要がなくなるとともに、モータカバー７１内のデッドスペースを有効に利用できるから、回路基板９１を上ケース１２内に収容させる際の配置効率を向上できる。したがって、これら回路基板９１およびモータカバー７１が収容される上ケース１２の小型化が可能となるから、この上ケース１２を備えた掃除機本体３をより小型化できる。
【００４７】
また、電動送風機２とモータカバー７１との間に第２消音部材６６を取り付けたことにより、この電動送風機２の駆動により生じる得る騒音およびモータカバー７１の振動を防止できる。この結果、この電動送風機２の駆動によって、この電動送風機２からモータカバー７１のＤカット部８１に取り付けた回路基板９１へと伝わる振動を抑制できるから、振動による回路基板９１の損傷を防止できる。同時に、電動送風機２の第１排気口６５から排気された空気が第２消音部材６６を通過するので、この空気にて回路基板９１を冷却する際に、この回路基板９１に塵埃が流れ込むのを防止できるから、この空気に漂う塵埃が付着することにより生じ得る回路基板９１の損傷を防止できる。
【００４８】
さらに、モータカバー７１のＤカット部８１の各保持凹部８８に回路基板９１の両側縁を挿入して係合保持させるとともに、この回路基板９１の嵌合凹部９２をＤカット部８１の保持面部８３に嵌合させつつ、この保持面部８３上の係止リブ８４の係止凹部８５に係合させる。同時に、この回路基板９１の嵌合凹部９２の両側縁をＤカット部８１の底面部８２に当接させつつ、この底面部８２上の係止リブ８４の係止凹部８５に係合させることにより、この回路基板９１がモータカバー７１のＤカット部８１に着脱可能に取り付けられる。この結果、このモータカバー７１のＤカット部８１への回路基板９１の取り付けおよび取り外しが簡単な構成で可能となるとともに、この回路基板９１をモータカバー７１のＤカット部８１に簡単な構成で確実に位置決め固定できる。
【００４９】
また、モータカバー７１のＤカット部８１の保持面部８３における係合リブ８４の両側部のそれぞれに振動吸収部材８６を取り付け、これら振動吸収部材８６のそれぞれに回路基板９１の嵌合凹部９２の内側を当接させて、この回路基板９１をモータカバー７１のＤカット部８１に収容させた。この結果、これら振動吸収部材８６によって、電動送風機２の駆動により生じ得るモータカバー７１の振動が回路基板９１に伝わりにくくなるから、モータカバー７１の振動による回路基板９１の損傷をより確実に防止できる。
【００５０】
さらに、モータカバー７１の上面に放熱板９３を取り付けて、この放熱板９３をモータカバー７１のＤカット部８１に収容された回路基板９１の上端縁に接触させた。この結果、電動送風機２を駆動させた際に排気風路７９を通過する空気によって放熱板９３の熱を吸収できる。したがって、電動送風機２の駆動に伴う空気の通過により放熱板９３を介して回路基板９１の熱を吸収して放熱できるので、この回路基板９１の温度上昇を簡単な構成で効率良く防止できる。よって、この回路基板９１に実装された図示しない回路部品の温度上昇を低減でき防止できるので、これら回路部品の温度上昇による破損を防止できる。
【００５１】
なお、上記第１の実施の形態では、モータカバー７１と上ケース１２との間を通過する空気で放熱板９３の熱を吸収して、この放熱板９３を介して回路基板９１の温度上昇を防止したが、図６および図７に示す第２の実施の形態のように、モータカバー７１のＤカット部８１の下端縁に複数、例えば２つの冷却口９７を開口して、これら冷却口９７を通過する空気にて回路基板９１の温度上昇を防止する構成としても、上記第１の実施の形態と同様の効果を奏することができる。
【００５２】
具体的に、これら冷却口９７は、モータカバー７１のＤカット部８１のＤカット面９０の下端縁であるとともに、このＤカット部８１の保持面部８３の上側縁に設けられている。また、これら冷却口９７は、保持面部８３の長手方向に沿った長手方向を有する細長矩形溝状に形成されている。さらに、これら冷却口９７は、保持面部８３における係止リブ８４の両側部にそれぞれ設けられており、モータカバー７１の外側と内側とを連通している。そして、これら冷却口９７のそれぞれは、保持面部８３の幅方向に向けて、この保持面部８３に沿って開口している。また、これら冷却口９７それぞれは、Ｄカット部８１の係止リブ８４間の中央部にそれぞれ設けられている。
【００５３】
したがって、電動送風機２の駆動により、この電動送風機２の第１排気口６５から排気された空気が第２消音部材６６を通過した後、モータカバー７１のそれぞれの冷却口９７を通過する。そして、これら冷却口９７を通過した空気は、モータカバー７１のＤカット部８１に取り付けた回路基板９１の熱を吸収しつつ、この回路基板９１の内側面に沿って上方へと流れてから放熱板９３の内側面に沿って流れて、上ケース１２の上蓋４３と筒状部４２との間へと流れていく。さらに、これら上蓋４３および筒状部４２の間へと流れた空気は、これら上蓋４３および筒状部４２の内側面に沿って下方へと流れて、この筒状部４２の連通口４６の内側に取り付けた第１消音部材４７を通過した後、これら連通口４６から上ケース１２の外部へと排気される。
【００５４】
この結果、電動送風機２の駆動により排気される空気を、モータカバー７１の各冷却口９７に通過させて、これら各冷却口９７を通過した空気を回路基板９１にあてて、この回路基板９１を冷却することにより、これら冷却口９７を通過した空気により回路基板９１が直接冷却される。したがって、この回路基板９１をより効率良く冷却できるから、この回路基板９１の温度上昇を簡単な構成でより確実に防止できる。
【００５５】
また、モータカバー７１の外隔壁部７７にＤカット部８１を１つだけ設けたが、このＤカット部８１を必要に応じてモータカバー７１の外隔壁部７７に複数設けることもできる。
【００５６】
【発明の効果】
本発明によれば、ケース体の曲面部に連続して外周面の一部を構成する平面部に回路基板を取り付けたので、この回路基板の配置効率が向上し、これら回路基板およびケース体を小型化でき、電動送風機とケース体との間の緩衝材によって、この電動送風機の駆動による回路基板の振動を抑制できる。
【図面の簡単な説明】
【図１】本発明の電気掃除機の第１の実施の形態の一部を示す分解斜視図である。
【図２】同上電気掃除機の一部を示す断面図である。
【図３】同上電気掃除機のケース体を示す上方斜視図である。
【図４】同上ケース体に回路基板を取り付けた状態を示す下方斜視図である。
【図５】同上電気掃除機の斜視図である。
【図６】本発明の第２の実施の形態の電気掃除機のケース体を示す上方斜視図である。
【図７】同上電気掃除機の一部を示す断面図である。
【符号の説明】
１    電気掃除機
２    電動送風機
６６    緩衝材としての第２消音部材
７１    ケース体としてのモータカバー
７７    曲面部としての外隔壁部
８１    平面部としてのＤカット部
９１    回路基板
９７    冷却口
【図１】
2004255065.tif 000003
【図２】
2004255065.tif 000004
【図３】
2004255065.tif 000005
【図４】
2004255065.tif 000006
【図５】
2004255065.tif 000007
【図６】
2004255065.tif 000008
【図７】
2004255065.tif 000009